(57)【要約】【課題】偏摩耗性、轍走行性、耐久性を両立させて向上させることのできる空気入りタイヤ及び小型トラック用空気入りタイヤを提供すること。【解決手段】ショルダー領域プロファイルライン６５を、中央領域プロファイルライン延長線７３よりもタイヤ径方向内方に離して位置させる。また、ショルダー領域プロファイルライン６５の形状を、タイヤ径方向内方に凹んだ曲線で形成し、さらに、中央領域プロファイルライン延長線７３から、ショルダー領域プロファイルライン６５の赤道面側端部６３までの距離をＨ１、最深部までの距離をＨ２、ショルダー部までの距離をＨ３とした場合に、Ｈ２＞Ｈ３＞Ｈ１≧０ｍｍの関係を満たすように形成する。この結果、接地圧が均一化されるので、偏摩耗性、轍走行性、耐久性を両立させて向上させることができる。【選択図】        図３
2006021702.tif 000002
【特許請求の範囲】
【請求項１】
トレッド部に形成される複数の周方向溝部によって複数の陸部が区画され、前記トレッド部のタイヤ径方向内方にはベルト層を有している空気入りタイヤにおいて、
前記複数の陸部のうちタイヤ幅方向の両端部に位置するショルダー側陸部はショルダー領域プロファイルラインを有しており、
前記複数の陸部のうち前記ショルダー側陸部間に位置する中央領域リブは中央領域プロファイルラインを有しており、
前記ショルダー領域プロファイルラインは、前記中央領域プロファイルラインを前記ショルダー側陸部側へ延長した仮想の延長線である中央領域プロファイルライン延長線よりもタイヤ径方向内方に位置しており、且つ、タイヤ径方向内方に凹む曲線からなり、さらに、前記ショルダー領域プロファイルラインのうち最も赤道面側に位置している部分と前記中央領域プロファイルライン延長線との距離をＨ１、前記ショルダー領域プロファイルラインのうち前記ショルダー領域プロファイルラインの形状である凹みの最深部と前記中央領域プロファイルライン延長線との距離をＨ２、前記ショルダー領域プロファイルラインのうち前記赤道面側の反対側に位置している部分と前記中央領域プロファイルライン延長線との距離をＨ３とした場合に、Ｈ２＞Ｈ３＞Ｈ１≧０ｍｍの関係を満たすように形成されていることを特徴とする空気入りタイヤ。
【請求項２】
タイヤ幅方向における前記ショルダー側陸部の幅は、接地幅の１５〜２５％であることを特徴とする請求項１に記載の空気入りタイヤ。
【請求項３】
前記中央領域プロファイルラインの曲率半径をＲ１、ショルダー領域プロファイルラインの曲率半径をＲ２とした場合に、Ｒ１＞Ｒ２となるように前記中央領域プロファイルライン及びショルダー領域プロファイルラインは形成されていることを特徴とする請求項１または２に記載の空気入りタイヤ。
【請求項４】
前記ベルト層は、それぞれ複数のコードを配列する３枚のベルトからなり、
前記３枚のベルトのうちタイヤ径方向の最も内方に位置するベルトである１番ベルトのコード角度をα１、
前記３枚のベルトのうちタイヤ径方向の最も外方に位置するベルトである３番ベルトのコード角度をα３、
前記３枚のベルトのうちタイヤ径方向において前記１番ベルトと前記３番ベルトとの間に位置するベルトである２番ベルトのコード角度をα２とした場合に、
それぞれのコード角度は、５０°＜α１≦６５°、１５°≦α３≦３０°、１５°≦α２≦３０°となるように形成されており、且つ、タイヤ幅方向におけるコードの傾斜方向は、前記１番ベルトのコードの傾斜方向と前記２番ベルトのコードの傾斜方向とは同方向に傾斜しており、前記３番ベルトのコードの傾斜方向は前記１番ベルトのコードの傾斜方向と反対方向に傾斜していることを特徴とする請求項１〜３のいずれか１項に記載の空気入りタイヤ。
【請求項５】
前記ベルト層のタイヤ径方向外方にベルトエッジ層を２層備えていることを特徴とする請求項１〜４のいずれか１項に記載の空気入りタイヤ。
【請求項６】
ビードフィラーが少なくとも２層で形成されていることを特徴とする請求項１〜５のいずれか１項に記載の空気入りタイヤ。
【請求項７】
請求項１〜６に記載の空気入りタイヤによって形成されることを特徴とする小型トラック用空気入りタイヤ。
【発明の詳細な説明】
【技術分野】
【０００１】
本発明は、空気入りタイヤ及び小型トラック用空気入りタイヤに関するものである。特に、この発明は、耐久性の向上と走行安定性の向上とを両立できる空気入りタイヤ及び小型トラック用空気入りタイヤに関するものである。
【背景技術】
【０００２】
従来の空気入りタイヤでは、トレッド部に複数形成されるリブのうち、タイヤ幅方向の外側端部に位置するショルダーリブの接地圧が、タイヤ幅方向の両端部に位置する前記ショルダーリブ間に形成されるリブの接地圧よりも高くなり過ぎ、これに起因してショルダーリブに偏摩耗が生じる場合がある。そこで、このような偏摩耗を抑制するために、従来の空気入りタイヤでは、ショルダーリブの輪郭形状、即ちプロファイルラインを、前記ショルダーリブ間に位置するリブのプロファイルラインと異ならせているものがある。例えば、特許文献１では、ショルダーリブのプロファイルラインを、タイヤ径方向内方に凹む曲線で形成している。さらに、この曲線のうち最も凹んでいる部分は、ショルダーリブ間に位置するリブのプロファイルラインの、ショルダーリブ方向への延長曲線からタイヤ径方向内方に最も離れている。また、前記曲線のうち赤道面側の端部は、前記延長曲線上、或いは、前記延長曲線よりも若干タイヤ径方向内方に位置しており、前記曲線のうちショルダー部側の端部は、前記延長曲線上、或いは、前記延長曲線よりも若干タイヤ径方向外方に位置している。これにより、ショルダーリブのタイヤ幅方向における中央部付近の接地圧は低減するため、この部分の摩耗を抑制でき、これに起因する偏摩耗を抑制することができる。
【０００３】
【特許文献１】特開平１０−３１５７１２号公報
【発明の開示】
【発明が解決しようとする課題】
【０００４】
しかしながら、ショルダーリブのプロファイルの形状を上記のように形成した場合には、偏摩耗を抑制できない場合がある。つまり、ショルダーリブのプロファイルを、上記のように当該プロファイルの形状である曲線の最深部を、前記延長曲線よりもタイヤ径方向の内方に位置させ、且つ、延長曲線よりも最も離すことにより、この最深部付近、即ち、ショルダーリブのタイヤ幅方向の中央部付近の接地圧を低減している。しかし、前記曲線のショルダー部側の端部は前記延長曲線上か、或いは、延長曲線よりもタイヤ径方向の外方に位置しているため、この部分の接地圧は有効的に低減することができない。このため、偏摩耗が生じる虞がある。また、このように、接地圧が低減できない場合には、接地時の発熱が増大し、耐久性が低下する虞がある。さらに、ショルダー部の接地圧が高い場合には、走行する路面に轍がある場合、路面に対するショルダー部の摩擦力が大きいため轍への追従性が高くなり、轍走行性が低下する虞がある。
【０００５】
本発明は、上記に鑑みてなされたものであって、偏摩耗性、轍走行性、耐久性を両立させて向上させることのできる空気入りタイヤ及び小型トラック用空気入りタイヤを提供することを目的とする。
【課題を解決するための手段】
【０００６】
上述した課題を解決し、目的を達成するために、この発明に係る空気入りタイヤは、トレッド部に形成される複数の周方向溝部によって複数の陸部が区画され、前記トレッド部のタイヤ径方向内方にはベルト層を有している空気入りタイヤにおいて、前記複数の陸部のうちタイヤ幅方向の両端部に位置するショルダー側陸部はショルダー領域プロファイルラインを有しており、前記複数の陸部のうち前記ショルダー側陸部間に位置する中央領域リブは中央領域プロファイルラインを有しており、前記ショルダー領域プロファイルラインは、前記中央領域プロファイルラインを前記ショルダー側陸部側へ延長した仮想の延長線である中央領域プロファイルライン延長線よりもタイヤ径方向内方に位置しており、且つ、タイヤ径方向内方に凹む曲線からなり、さらに、前記ショルダー領域プロファイルラインのうち最も赤道面側に位置している部分と前記中央領域プロファイルライン延長線との距離をＨ１、前記ショルダー領域プロファイルラインのうち前記ショルダー領域プロファイルラインの形状である凹みの最深部と前記中央領域プロファイルライン延長線との距離をＨ２、前記ショルダー領域プロファイルラインのうち前記赤道面側の反対側に位置している部分と前記中央領域プロファイルライン延長線との距離をＨ３とした場合に、Ｈ２＞Ｈ３＞Ｈ１≧０ｍｍの関係を満たすように形成されていることを特徴とする。
【０００７】
この発明では、ショルダー領域プロファイルラインを中央領域プロファイルライン延長線よりもタイヤ径方向内方に位置させ、且つ、当該ショルダー領域プロファイルラインはタイヤ径方向内方に凹む曲線で形成している。これにより、ショルダー側陸部の接地圧を低減させることができる。さらに、中央領域プロファイルライン延長線からショルダー領域プロファイルラインの各部分までの距離Ｈ１、Ｈ２、Ｈ３を上記の関係になるように形成することにより、ショルダー側陸部の全ての部分の接地圧を、より確実に低減させることができ、より確実に接地圧の均一化を図ることができる。これにより、ショルダー側陸部間に位置する陸部に対する偏摩耗、及びショルダー側陸部内での偏摩耗を、より確実に低減させることができる。また、ショルダー部の接地圧がより確実に低減するので、走行時の発熱が抑えられ、発熱に起因する耐久性の低下を低減できる。さらに、ショルダー領域プロファイルラインの、ショルダー部に位置する部分が中央領域プロファイルライン延長線よりもタイヤ径方向内方に位置しているので、ショルダー部の接地圧は低くなり、路面に轍がある場合でもショルダー部が轍に追従し過ぎることを抑制できる。これらの結果、偏摩耗性、轍走行性、耐久性を両立させて向上させることができる。
【０００８】
また、この発明に係る空気入りタイヤは、タイヤ幅方向における前記ショルダー側陸部の幅は、接地幅の１５〜２５％であることを特徴とする。
【０００９】
この発明では、タイヤ幅方向におけるショルダー側陸部の幅を接地幅の１５〜２５％にしたので、偏摩耗をより確実に低減できる。つまり、空気入りタイヤのトレッド部は、サイドウォールなど空気入りタイヤの側面を構成している部分を介して車両と一体に形成されている。このため、空気入りタイヤが接地した場合には、タイヤ幅方向において前記サイドウォールの形成方向に位置するショルダー側陸部付近に荷重が集中し、接地圧が高くなり易くなる。この接地圧が高くなり易い部分は、タイヤ幅方向において接地幅の両端部から他方の端部方向に接地幅の１５〜２５％の範囲が高くなり易く、ショルダー領域プロファイルラインが上記のように形成されたショルダー側陸部をこの範囲に収まるように形成することにより、より確実に接地圧の均一化を図ることができる。この結果、偏摩耗性をより確実に向上させることができる。また、接地圧が高くなる範囲の陸部を前記ショルダー領域プロファイルラインの形状で形成することにより、接地圧が低減し、発熱が低減するので、より確実に耐久性を向上させることができる。また、このようにタイヤ幅方向における両端部付近の接地圧を低減することにより、路面に轍がある場合でも、轍への追従性が低減する。この結果、轍走行性が向上する。
【００１０】
また、この発明に係る空気入りタイヤは、前記中央領域プロファイルラインの曲率半径をＲ１、ショルダー領域プロファイルラインの曲率半径をＲ２とした場合に、Ｒ１＞Ｒ２となるように前記中央領域プロファイルライン及びショルダー領域プロファイルラインは形成されていることを特徴とする。
【００１１】
この発明では、ショルダー領域プロファイルラインの曲率半径を中央領域プロファイルラインの曲率半径より小さくしているので、タイヤ幅方向におけるショルダー領域プロファイルラインの中央部付近が、よりタイヤ径方向内方に位置する形状となる。通常、ショルダー側陸部の、タイヤ幅方向における中央部付近は、ショルダー側陸部内で最も接地圧が高くなり易い。このため、この部分をタイヤ径方向内方に位置させることにより、接地圧が高くなり易い部分の接地圧を低減させることができるので、より確実に接地圧の均一化を図ることができる。これにより、より確実に偏摩耗を抑制できる。また、接地圧が低減するので発熱が抑えられ、耐久性をより確実に向上させることができる。これらの結果、偏摩耗性と耐久性とを、より確実に向上させることができる。
【００１２】
また、この発明に係る空気入りタイヤは、前記ベルト層は、それぞれ複数のコードを配列する３枚のベルトからなり、前記３枚のベルトのうちタイヤ径方向の最も内方に位置するベルトである１番ベルトのコード角度をα１、前記３枚のベルトのうちタイヤ径方向の最も外方に位置するベルトである３番ベルトのコード角度をα３、前記３枚のベルトのうちタイヤ径方向において前記１番ベルトと前記３番ベルトとの間に位置するベルトである２番ベルトのコード角度をα２とした場合に、それぞれのコード角度は、５０°＜α１≦６５°、１５°≦α３≦３０°、１５°≦α２≦３０°となるように形成されており、且つ、タイヤ幅方向におけるコードの傾斜方向は、前記１番ベルトのコードの傾斜方向と前記２番ベルトのコードの傾斜方向とは同方向に傾斜しており、前記３番ベルトのコードの傾斜方向は前記１番ベルトのコードの傾斜方向と反対方向に傾斜していることを特徴とする。
【００１３】
この発明では、空気入りタイヤに荷重が加えられてベルト層のベルトが変形する場合でも、各ベルト層が上記のように形成されているので、適度に変形することにより、その荷重を適度に受けることができる。これにより、ベルト層に捩れが加わり難くなり、剥離が生じ難くなる。この結果、耐久性がさらに向上する。
【００１４】
また、この発明に係る空気入りタイヤは、前記ベルト層のタイヤ径方向外方にベルトエッジ層を２層備えていることを特徴とする。
【００１５】
この発明では、ベルト層のタイヤ径方向外方にベルトエッジ層を設けているため、当該空気入りタイヤが装着された車両の走行中のベルトの動きを抑え、ベルトの変形を抑えることができる。これにより、ベルトの動きに起因する発熱を抑制することができる。この結果、より確実に耐久性を向上させることができる。
【００１６】
また、この発明に係る空気入りタイヤは、ビードフィラーが少なくとも２層で形成されていることを特徴とする。
【００１７】
この発明では、ビードフィラーが２種類の異なる硬度の層を有しており、ビードの側近は硬度が高めの層となっており、この硬度が高めの層の部分のタイヤ径方向外方には、硬度が低めの層となっている。これにより、トレッド部に荷重が加えられた際に、この荷重によるベルト層付近の負担を、ビードフィラーの硬度が低めの層の部分でも受けることができ、ベルト層付近の負担を軽減できるので、この部分の発熱を抑制することができる。この結果、より確実に耐久性を向上させることができる。
【００１８】
また、この発明に係る小型トラック用空気入りタイヤは、上記の発明のいずれかに記載の空気入りタイヤによって形成されていることを特徴とする。小型トラック用空気入りタイヤでは、トレッド部にかかる荷重が比較的大きいため、偏摩耗が生じ易く、轍走行性も低下し易い。また、小型トラック用空気入りタイヤが装着される車両は業務上で使用されることが多いため、走行距離が長くなることが多く、このため、耐久性が高いことが好まれる。このトラック用空気入りタイヤを上記の発明の空気入りタイヤによって形成することにより、偏摩耗性、轍走行性、耐久性を両立させて向上させることができる。また、トラック用空気入りタイヤをこのように上記の発明の空気入りタイヤによって形成することにより、小型トラックでの使用状況に適したトラック用空気入りタイヤにすることができる。
【発明の効果】
【００１９】
本発明に係る空気入りタイヤ及びトラック用空気入りタイヤは、偏摩耗性、轍走行性、耐久性を両立させて向上させることができる、という効果を奏する。
【発明を実施するための最良の形態】
【００２０】
以下に、本発明にかかる空気入りタイヤ及びトラック用空気入りタイヤの実施例を図面に基づいて詳細に説明する。なお、この実施例によりこの発明が限定されるものではない。また、下記実施例における構成要素には、当業者が置換可能かつ容易なもの、或いは実質的に同一のものが含まれる。また、以下の実施例では、本発明の一例として小型トラック用空気入りタイヤを説明する。また、小型トラック用空気入りタイヤのトレッド面に形成されるトレッドパターンにはいくつかの種類があり、ショルダー側陸部が形成されるパターンには、主に、リブパターン、リブ・ラグパターン、ブロックパターンがある。本発明は、いずれのトレッドパターンに対しても適用することができるが、以下の説明では小型トラック用空気入りタイヤの一例としてリブパターンが形成される小型トラック用空気入りタイヤを例に説明する。
【００２１】
以下の説明において、タイヤ幅方向とは、小型トラック用空気入りタイヤのタイヤ回転軸と平行な方向をいい、タイヤ幅方向外方とは、タイヤ幅方向において赤道面に向かう方向の反対方向をいう。また、タイヤ径方向とは、前記タイヤ回転軸と直交する方向をいう。図１は、この発明に係る小型トラック用空気入りタイヤの要部を示す子午断面図である。この小型トラック用空気入りタイヤ１は、タイヤ径方向の最も外側となる部分にトレッド部１０が設けられている。また、前記トレッド部１０のタイヤ幅方向の端部からタイヤ径方向の内方側の所定の位置までは、サイドウォール部１５が設けられており、さらに、このサイドウォール部１５のタイヤ径方向内方側には、ビード部３５が設けられている。このビード部３５は、当該小型トラック用空気入りタイヤ１の２ヶ所に設けられており、赤道面８０を中心として対称になるように、赤道面８０の反対側にも設けられている。このビード部３５には、ビード３６が設けられている。また、前記トレッド部１０のタイヤ径方向内方には、ベルト層２０が設けられており、さらに、ベルト層２０のタイヤ幅方向における両端部付近で、当該ベルト層２０のタイヤ径方向外方には、ベルトエッジ層３０が設けられている。
【００２２】
前記ベルト層２０のタイヤ径方向内方、及び前記サイドウォール部１５の赤道面８０側には、カーカス４５が連続して設けられている。このカーカス４５はビード部３５の赤道面８０側にも形成されており、このビード部３５の赤道面８０側に形成されるカーカス４５は前記サイドウォール部の赤道面８０側に形成されるカーカス４５から連続して形成される。このカーカス４５は、さらに、前記ビード３６のタイヤ径方向内方を通り、当該ビード３６のタイヤ幅方向外方でビード３６のタイヤ径方向外方まで折り返される。このカーカス４５が折り返されている部分とビード３６とによる空間、即ち、サイドウォール部１５の前記赤道面８０側に位置するカーカス４５と、折り返されてタイヤ幅方向外方側に位置するカーカス４５と、ビード３６とによる空間には、ビードフィラー４０が形成されている。つまり、ビードフィラー４０はビード３６のタイヤ径方向外方側に形成されている。また、ビード部３５におけるビード３６の赤道面８０側の位置から、赤道面８０の反対側に形成されるビード部３５におけるビード３６の赤道面８０側の位置まで、前記カーカス４５に沿ってインナーライナ５０が形成されている。このインナーライナ５０は、前記カーカス４５に沿って、当該小型トラック用空気入りタイヤ１の内部側に形成されている。
【００２３】
前記ビードフィラー４０は、前記ビード３６のタイヤ径方向外方に設けられており、ビード３６から離れるに従って、つまり、タイヤ径方向外方に向かうに従って、タイヤ幅方向における幅が狭くなっている。即ち、ビードフィラー４０は、ビード３６付近ではタイヤ幅方向におけるビード３６の幅と同等の幅で形成されており、タイヤ径方向外方に向かうに従って幅が狭くなっている。また、このビードフィラー４０は、硬度が異なる２層のゴム材料で形成され、主にビードフィラー４０のタイヤ径方向内方側の部分は硬度が高い高硬度層４１となっており、タイヤ径方向外方は硬度が低い低硬度層４２となっている。この高硬度層４１及び低硬度層４２のそれぞれの硬度は、高硬度層４１については、概ねＪＩＳ  Ａ（２０℃）＝７５〜８５程度となっており、低硬度層４２については、概ねＪＩＳ  Ａ（２０℃）＝５５〜６５程度となっている。
【００２４】
また、高硬度層４１及び低硬度層４２の詳細な形状は、高硬度層４１は、ビード３６付近ではタイヤ幅方向の幅はビード３６のタイヤ幅方向の幅と同等の幅で形成されており、タイヤ径方向外方に向かうに従って幅が狭くなっている。一方、低硬度層４２は、当該低硬度層４２の最もタイヤ径方向内方に位置している部分が、ビード３６よりも若干タイヤ径方向外方で、且つ、高硬度層４１のタイヤ幅方向外方に位置している。低硬度層４２の形状は、この部分では、タイヤ幅方向における幅は狭く、そこからタイヤ径方向外方に向かうに従って幅が広くなっている。この幅は、前記高硬度層４１の、タイヤ径方向において最も外側に位置する部分付近で最大になり、そこからタイヤ径方向外方に向かうに従って狭くなるように形成されている。
【００２５】
前記トレッド部１０の表面であるトレッド面１１には、タイヤ周方向に形成された周方向溝部５５が複数設けられている。また、複数の周方向溝部５５によって区画された部分は陸部であるリブ６０として形成されており、リブ６０も周方向溝部５５と同様に複数形成されている。この複数のリブ６０のうち、タイヤ幅方向の両端部に位置しているリブ６０は、ショルダー側陸部であるショルダーリブ６１として形成されており、タイヤ幅方向においてショルダーリブ６１間に位置するリブ６０は中央領域リブ７１として形成されている。また、ショルダーリブ６１のトレッド面１１の、タイヤ幅方向における外側方向の端部はショルダー部６２として形成されており、当該トレッド面１１の、タイヤ幅方向における赤道面８０側の端部は赤道面側端部６３として形成されている。前記ショルダーリブ６１のトレッド面１１のタイヤ子午断面での形状、即ち、ショルダー領域プロファイルライン６５は、タイヤ径方向内方に凹む曲線で形成されている。
【００２６】
前記ベルトエッジ層３０は、ベルト層２０のタイヤ幅方向における両端部付近で、ベルト層２０のタイヤ径方向外方、即ち、ショルダーリブ６１のタイヤ径方向内方に位置し、ショルダーリブ６１のタイヤ径方向内方から当該ショルダーリブ６１に隣接する周方向溝部５５のタイヤ径方向内方にかけて形成されている。また、このベルトエッジ層３０はタイヤ径方向に２層が重ねられて形成されており、２層ともナイロン材等によって形成されている。
【００２７】
図２−１〜図２−３は、図１のＢ−Ｂ断面図であり、図２−１は、１番ベルトの詳細図、図２−２は、２番ベルトの詳細図、図２−３は、３番ベルトの詳細図である。前記ベルト層２０は、３枚のベルト２１がタイヤ径方向に重ねられて形成されており、タイヤ径方向において最も内側に位置するベルト２１が１番ベルト２２、タイヤ径方向において最も外側に位置するベルト２１が３番ベルト２４、１番ベルト２２と３番ベルト２４との間に位置するベルト２１は２番ベルト２３として形成されている。この３枚のベルト２１は、それぞれスチール材等からなる複数のコード（図示省略）が配列されて形成されている。その配列の方向、即ち、タイヤ周方向からタイヤ幅方向側への傾きの角度、或いは、前記赤道面８０からタイヤ幅方向への傾きの角度であるコード角度は、１番ベルト２２のコード角度をα１とし、２番ベルト２３のコード角度をα２とし、３番ベルトのコード角度をα３とした場合に、それぞれ５０°＜α１≦６５°、１５°≦α２≦３０°、１５°≦α３≦３０°となっている。また、これらのコードが傾いている方向は、１番ベルト２２と２番ベルト２３のコードはタイヤ幅方向において同じ方向に傾いており、３番ベルト２４のコードは１番ベルト２２のコードとタイヤ幅方向において反対方向に傾いている。各ベルト２１のコードは、これらの方向に傾きつつ、タイヤ周方向に対してそれぞれ上記の角度で傾いて形成されている。
【００２８】
図３は、図１のＡ部詳細図である。前記ショルダー領域プロファイルライン６５は、タイヤ子午断面における中央領域リブ７１のトレッド面１１の形状、即ち、中央領域プロファイルライン７２を、ショルダーリブ６１側へ延長した線である中央領域プロファイルライン延長線７３よりも、タイヤ径方向内方に位置している。また、中央領域プロファイルライン７２は、タイヤ径方向外方に凸となる曲線で形成されている。この中央領域プロファイルライン７２の形状である曲線と、前記ショルダー領域プロファイルライン６５の形状である、タイヤ径方向内方に凹む曲線とは、中央領域プロファイルライン７２の曲率半径をＲ１、ショルダー領域プロファイルライン６５の曲率半径をＲ２とした場合に、Ｒ１＞Ｒ２の関係となるように形成されている。
【００２９】
また、ショルダー領域プロファイルライン６５のうち、前記赤道面側端部６３に位置している部分と中央領域プロファイルライン延長線７３との距離をＨ１、前記赤道面８０側の反対側に位置している部分、即ち、前記ショルダー部６２に位置している部分と中央領域プロファイルライン延長線７３との距離をＨ３とする。さらに、タイヤ径方向内方に凹む曲線で形成されているショルダー領域プロファイルライン６５の、凹みの最深部６４と中央領域プロファイルライン延長線７３との距離をＨ２とした場合に、これらの関係がＨ２＞Ｈ３＞Ｈ１≧０ｍｍとなる形状でショルダー領域プロファイルライン６５は形成されている。なお、前記最深部６４は、ショルダー領域プロファイルライン６５の、タイヤ幅方向における中央部付近となっている。
【００３０】
図４は、この発明に係る小型トラック用空気入りタイヤの接地形状を示す図である。上述した小型トラック用空気入りタイヤ１を路面（図示省略）に接地させた際には、接地部（図示省略）は荷重により潰れて変形するため、接地部の形状、即ち接地形状９０は、所定の接地長さを有する。この接地形状９０は、最大負荷能力に対応する規定の空気圧（ＪＡＴＭＡ  ＹＥＡＲ  ＢＯＯＫ  ２００４年度版に規定の空気圧）で、最大負荷能力の１００％荷重をかけた際の接地部の形状である。この接地形状９０は、タイヤ幅方向の中央部付近の接地長さが最も長く、タイヤ幅方向外方へ向かうに従って接地長さが短くなっている。つまり、ショルダーリブ接地形状９１の接地長さＮは、中央領域リブ接地形状９２の接地長さＭよりも短くなっている。なお、タイヤ幅方向における前記ショルダーリブ６１の幅Ｖは、接地形状９０の幅である接地幅Ｗの１５〜２５％になるように形成されている。つまり、前記ショルダーリブ６１の幅Ｖは、空気圧を小型トラック用空気入りタイヤ１の最大負荷能力に対応する規定の空気圧とし、当該小型トラック用空気入りタイヤ１に最大負荷能力の荷重をかけた際の接地幅Ｗの１５〜２５％になるように形成されている。
【００３１】
この小型トラック用空気入りタイヤ１を車両（図示省略）に装着して走行をすると、当該小型トラック用空気入りタイヤ１の重量を含めた車両の重量が、路面に接触する部分のトレッド面１１に集中する。このため、この付近のトレッド部１０は変形し、下方、即ち、路面側に位置するトレッド面１１全体が接地する。その際に、ショルダー領域プロファイルライン６５は、中央領域プロファイルライン７２よりもタイヤ径方向内方に位置している。このため、荷重がショルダーリブ６１のトレッド面１１に集中し、ショルダーリブ６１のトレッド面１１の接地圧を低減させることができ、トレッド面１１全体での接地圧の均一化を図ることができる。この結果、ショルダーリブ６１が多く摩耗することによる偏摩耗を抑制すると同時に、接地圧を低減することにより発熱を低減することができるので、耐久性を向上させることができる。
【００３２】
また、ショルダー領域プロファイルライン６５は、タイヤ径方向内方に凹む曲線で形成されており、さらに、タイヤ幅方向におけるショルダー領域プロファイルライン６５の中央部付近を前記凹みの最深部６４にしている。また、ショルダー領域プロファイルライン６５のうちショルダー部６２に位置する部分を、赤道面側端部６３よりも、中央領域プロファイルライン７２に対してタイヤ径方向内方に離した位置に形成している。これにより、ショルダー部６２の接地圧を、より確実に抑制できる。これらにより、タイヤ幅方向におけるショルダーリブ６１のトレッド面１１の中央部付近、及びショルダー部６２の接地圧を、より確実に低減することができる。この結果、ショルダーリブ６１内での偏摩耗を、より確実に抑制でき、また、発熱を抑制できるので、耐久性を向上させることができる。さらに、ショルダー部６２の接地圧を低減させているので、走行する路面に轍があった場合でも、ショルダー部６２が轍に追従し過ぎることを抑制できる。これらの結果、偏摩耗性、轍走行性、耐久性を両立させて向上させることができる。
【００３３】
また、ショルダー領域プロファイルライン６５の曲率半径Ｒ２を、中央領域プロファイルライン７２の曲率半径Ｒ１よりも小さくしているので、ショルダー領域プロファイルライン６５の最深部６４を、中央領域プロファイルライン延長線７３よりも、よりタイヤ径方向内方に離すことができる。最深部６４付近はショルダーリブ６１内でも接地圧が高くなり易いので、このようにＲ２をＲ１よりも小さくすることにより、最深部６４付近の接地圧をより確実に低減させることができる。これにより、より確実に接地圧の均一化を図ることができるので、偏摩耗を抑制でき、発熱を抑えて耐久性を向上させることができる。これらの結果、偏摩耗性と耐久性とを、より確実に向上させることができる。
【００３４】
また、ベルト層２０を、コードが配列された３枚のベルト２１で構成し、それぞれのベルト２１のコードは、上述した角度及び傾き方向で形成されている。これにより、トレッド面１１に荷重が加えられてトレッド部１０が変形した場合でも、トレッド部１０のタイヤ径方向内方に設けられているベルト層２０の変形は適度な変形となるので、各ベルト２１間のひずみが適切な範囲となり、捩れが加わり難くなる。この結果、ベルト２１間の剥離が生じ難くなり、耐久性がさらに向上する。
【００３５】
また、ベルト層２０のタイヤ径方向外方にベルトエッジ層３０を設けているため、ベルト層２０の動きを抑え、これによりベルト層２０の変形を抑えることができる。例えば、小型トラック用空気入りタイヤ１が回転した際にはベルト層２０は遠心力でタイヤ径方向外方に膨らもうとするが、ベルト層２０のタイヤ径方向外方にベルトエッジ層３０を設けることにより、この膨らみを抑えることができる。このようにベルト層２０の変形を抑制することにより、変形による発熱を抑制することができる。この結果、耐久性をさらに向上させることができる。
【００３６】
また、ビードフィラー４０をそれぞれゴム材料の硬度が異なる２層で形成し、ビード３６側近は硬度が高めの高硬度層４１、この高硬度層４１のタイヤ径方向外方には硬度が低めの低硬度層４２となっている。これにより、トレッド部１０に荷重が加えられた場合でも、この荷重によるベルト層２０付近の負担を、ビードフィラー４０の低硬度層４２でも受けることができる。つまり、ベルト層２０付近に荷重が加えられた場合、その荷重は低硬度層４２にも伝えられ、低硬度層４２が変形をすることにより、ベルト層２０付近の負担を軽減できる。この結果、ベルト層２０付近の発熱を抑制することができ、より耐久性を高めることができる。また、ビード３６側近には高硬度層４１が位置しているので、ビード３６側近の剛性は維持される。この結果、当該小型トラック用空気入りタイヤ１とリム（図示省略）との嵌合性及び走行安定性を維持しつつ、耐久性を高めることができる。
【００３７】
また、ショルダーリブ６１の幅Ｖを、接地幅Ｗの１５〜２５％で形成しているので、偏摩耗をより確実に低減できる。つまり、小型トラック用空気入りタイヤ１のトレッド面１１が接地した場合には、タイヤ幅方向において接地形状９０の両端部から内側方向に接地幅Ｗの１５〜２５％の範囲の接地圧が高くなり易い。このため、この範囲に、ショルダー領域プロファイルライン６５が上記の形状で形成されたショルダーリブ６１を位置させることにより、より確実に接地圧の均一化を図ることができる。即ち、ショルダーリブ６１の幅Ｖを、接地幅Ｗの１５〜２５％で形成することにより、接地形状９０の上記の範囲にショルダーリブ６１を位置させることができるので、接地圧が高くなり易い部分の接地圧を効果的に低減させることができ、より確実に接地圧の均一化を図ることができる。この結果、より確実に偏摩耗を抑制することができる。また、接地圧が高くなり易い部分を、上述したショルダー領域プロファイルライン６５の形状で形成することにより、接地圧が低減するので、発熱を効果的に抑制することができる。この結果、より確実に耐久性を向上させることができる。また、轍走行性には、接地形状９０の、タイヤ幅方向における両端部付近が大きく影響し易いが、この部分の接地圧を低減することにより、路面に轍がある場合でも、タイヤ幅方向両端部付近の轍への追従性が低減する。この結果、轍走行性が向上する。
【００３８】
また、小型トラック用空気入りタイヤ１は接地圧が比較的高くなり易く、走行距離が長くなることが多い。このため、小型トラック用空気入りタイヤ１を上記のように形成して偏摩耗性、轍走行性、耐久性を両立させて向上させることにより、小型トラックでの使用状況に適した小型トラック用空気入りタイヤ１にすることができる。
【実施例】
【００３９】
以下、上記の小型トラック用空気入りタイヤ１について、従来の小型トラック用空気入りタイヤ１と本発明の小型トラック用空気入りタイヤ１とについて行なった性能の評価試験について説明する。性能評価試験は、轍走行性、耐久性、偏摩耗性の３項目について行なった。
【００４０】
試験方法は、１８５／８５Ｒ１６  １１１／１０９Ｌサイズの小型トラック用空気入りタイヤ１を１６×５−１／２Ｋのリムに組み付け、空気圧を６００ｋＰａ（無負荷時）に設定する。轍走行性と偏摩耗性については、この小型トラック用空気入りタイヤ１を車両に装着して試験を行い、耐久性については、ＪＩＳ  Ｄ４２３０に記載のドラム耐久試験を行った。各試験項目の評価方法は、轍走行性については、轍路を走行した際の運転手のフィーリングで評価した。この測定結果を、後述する従来例１の小型トラック用空気入りタイヤ１の轍走行性に対する性能を１００とした指数で示した。指数が大きい程、轍路を走行した際でも安定しており、轍走行に対する性能が優れている。耐久性については、最大荷重を１０．６９ｋＮとしてＪＩＳ  Ｄ４２３０に記載のドラム耐久試験に基づいて試験を行い、この結果を、後述する従来例１の小型トラック用空気入りタイヤ１の耐久性に対する性能を１００とした指数で示した。指数が大きい程、耐久性が優れている。偏摩耗性については、実車走行後、ショルダーリブ６１と中央領域リブ７１、及びショルダーリブ６１内の摩耗を測定した。この測定結果を、後述する従来例１の小型トラック用空気入りタイヤ１の偏摩耗性に対する性能を１００とした指数で示した。指数が大きい程、偏摩耗に対する性能が優れている。また、この評価試験は、３項目全てにおいて指数が向上したものを効果があるものとした。
【００４１】
試験をする小型トラック用空気入りタイヤ１は、本発明が２種類、本発明と比較する比較例として５種類、そして、２種類の従来例を、上記の方法で試験する。従来例２、比較例１〜５及び本発明１、２は、上述したようにショルダー領域プロファイルライン６５が中央領域プロファイルライン延長線７３から離れている。なお、ここでＨ１、Ｈ２、Ｈ３の各数値は、中央領域プロファイルライン延長線７３からタイヤ径方向内方側を＋（プラス）、中央領域プロファイルライン延長線７３からタイヤ径方向外方側を−（マイナス）としている。従来例１は、ショルダー領域プロファイルライン６５が中央領域プロファイルライン延長線７３に沿った形状となっている。
【００４２】
従来例の一例である従来例２は、ショルダー部６２が中央領域プロファイルライン延長線７３よりもタイヤ径方向外方に位置している。また、比較例の一例である比較例１及び比較例２は、ショルダー領域プロファイルライン６５のうち、ショルダー部６２が中央領域プロファイルライン延長線７３から最も離れており、比較例３及び比較例５は、赤道面側端部６３が中央領域プロファイルライン延長線７３から最も離れている。また、比較例４は、赤道面側端部６３の方がショルダー部６２よりも、中央領域プロファイルライン延長線７３から離れて形成されている。
【００４３】
これに対し、本発明の一例である本発明１及び本発明２は、ショルダー領域プロファイルライン６５の形状が、中央領域プロファイルライン延長線７３に対して上述した形状、即ち、Ｈ２＞Ｈ３＞Ｈ１≧０ｍｍの関係を満たすように形成されている。これらの従来例１及び従来例２、比較例１〜５、本発明１及び本発明２の小型トラック用空気入りタイヤ１を上記の方法で評価試験をし、得られた結果を表１−１及び表１−２に示す。
【００４４】
【表１−１】
2006021702.tif 000003
【００４５】
【表１−２】
2006021702.tif 000004
【００４６】
表１−１及び表１−２に示した上記の試験結果で明らかなように、ショルダー領域プロファイルライン６５を中央領域プロファイルライン延長線７３からタイヤ径方向内方に離した場合でも、Ｈ２＞Ｈ３＞Ｈ１≧０ｍｍの関係を満たしていない場合には、轍走行性、耐久性、偏摩耗性のうちの少なくともいずれかの性能が従来例１よりも向上しないので、これらの性能の向上を両立することができない。
【００４７】
そこで、本発明１及び本発明２では、ショルダー領域プロファイルライン６５を中央領域プロファイルライン延長線７３からタイヤ径方向内方に離した場合でも、その距離がＨ２＞Ｈ３＞Ｈ１≧０ｍｍの関係を満たすように形成されている場合には、轍走行性、耐久性、偏摩耗性の各性能を向上させることができる。この結果、轍走行性、耐久性、偏摩耗性を両立させて向上させることができる。
【００４８】
なお、ビードフィラー４０は硬度の異なる２層のゴムによって形成されているが、ビードフィラー４０は３層以上で形成してもよい。ビードフィラー４０を３層以上で形成しても、ビード３６付近の硬度は高くし、タイヤ径方向外方では硬度を低くすることにより、硬度が低い部分は変形し易くなるので、トレッド面１１に作用する荷重によるベルト層２０などの負担を軽減することができる。この結果、ベルト層２０などの発熱を抑制できるので、耐久性を向上させることができる。
【００４９】
また、上記の説明では、小型トラック用空気入りタイヤ１の一例としてリブパターンを有する小型トラック用空気入りタイヤ１を説明しているが、本発明を適用する小型トラック用空気入りタイヤ１はリブパターン以外でも、リブ・ラグパターン、ブロックパターンなど、いずれのパターンのトレッド部１０を有する小型トラック用空気入りタイヤ１でもよい。トレッド面１１にショルダーリブ６１等のショルダー側陸部が形成されている小型トラック用空気入りタイヤ１であれば、パターン形状はどのような形状であっても構わない。
【００５０】
また、上記の説明では、本発明の一例として小型トラック用空気入りタイヤ１を説明しているが、本発明は小型トラック用空気入りタイヤ１以外の空気入りタイヤに適用してもよい。小型トラック用空気入りタイヤ１以外の空気入りタイヤでも、偏摩耗性、轍走行性、耐久性の各性能を向上は望まれるので、それらの空気入りタイヤに本発明を適用することにより、これらの性能を満足した高性能な空気入りタイヤにすることができる。
【産業上の利用可能性】
【００５１】
以上のように、本発明にかかる小型トラック用空気入りタイヤ及び空気入りタイヤは、偏摩耗等の性能を向上させる場合に有用であり、特に、複数の性能を向上させる場合に適している。
【図面の簡単な説明】
【００５２】
【図１】この発明に係る小型トラック用空気入りタイヤの要部を示す子午断面図である。
【図２−１】図１のＢ−Ｂ断面図であり、１番ベルトの詳細図である。
【図２−２】図１のＢ−Ｂ断面図であり、２番ベルトの詳細図である。
【図２−３】図１のＢ−Ｂ断面図であり、３番ベルトの詳細図である。
【図３】図１のＡ部詳細図である。
【図４】この発明に係る小型トラック用空気入りタイヤの接地形状を示す図である。
【符号の説明】
【００５３】
１  小型トラック用空気入りタイヤ
１０  トレッド部
１１  トレッド面
１５  サイドウォール部
２０  ベルト層
２１  ベルト
２２  １番ベルト
２３  ２番ベルト
２４  ３番ベルト
３０  ベルトエッジ層
３５  ビード部
３６  ビード
４０  ビードフィラー
４１  高硬度層
４２  低硬度層
４５  カーカス
５０  インナーライナ
５５  周方向溝部
６０  リブ
６１  ショルダーリブ
６２  ショルダー部
６３  赤道面側端部
６４  最深部
６５  ショルダー領域プロファイルライン
７１  中央領域リブ
７２  中央領域プロファイルライン
７３  中央領域プロファイルライン延長線
８０  赤道面
９０  接地形状
９１  ショルダーリブ接地形状
９２  中央領域リブ接地形状
【図１】
2006021702.tif 000005
【図２−１】
2006021702.tif 000006
【図２−２】
2006021702.tif 000007
【図２−３】
2006021702.tif 000008
【図３】
2006021702.tif 000009
【図４】
2006021702.tif 000010